(57)【特許請求の範囲】
【請求項１】
互いに直交する前後方向及び幅方向と、
着用者の股下に配置される中央域と、
前記中央域の後側に位置する後側域と、
少なくとも前記後側域に配置される吸収コアと、を有し、
前記後側域には、前記幅方向の外側に膨らんだヒップフラップが設けられており、
前記後側域の前記吸収コアの外側縁よりも幅方向の外側で、前記ヒップフラップの外縁に沿って離散的に並んだ複数の第１の圧搾部が設けられており、
前記後側域の前記吸収コアの外側縁よりも幅方向の外側、かつ前記複数の第１の圧搾部よりも内側に、前記ヒップフラップの外縁に沿って離散的に並んだ複数の第２の圧搾部が設けられており、
前記複数の第２の圧搾部のピッチは、前記複数の第１の圧搾部のピッチよりも小さく、
吸収性物品を肌対向面側から見たときに、前記ヒップフラップの、圧搾部が形成されていない領域のＬ＊ａ＊ｂ＊表色系におけるＬ＊値と、前記第１及び第２の圧搾部のＬ＊ａ＊ｂ＊表色系におけるＬ＊値との差が、５以上、２３以下である、吸収性物品。
【請求項２】
前記複数の第１の圧搾部と前記複数の第２の圧搾部との間に、離散的に並んだ複数の第３の圧搾部が設けられており、
前記複数の第３の圧搾部のピッチは、前記複数の第１の圧搾部のピッチよりも小さく、前記複数の第２の圧搾部のピッチよりも大きい、請求項１に記載の吸収性物品。
【請求項３】
前記吸収コアよりも肌対向面側で前記吸収コアを覆い、前記ヒップフラップまで延びている肌面シートを有し、
肌対向面側から見たときに、前記後側域の前記吸収コアが設けられた領域のＬ＊ａ＊ｂ＊表色系におけるＬ＊値と、前記ヒップフラップの、前記第２の圧搾部よりも内側の領域のＬ＊ａ＊ｂ＊表色系におけるＬ＊値との差が、１５以下である、請求項１又は２に記載の吸収性物品。
【請求項４】
前記複数の第１及び第２の圧搾部は、一方のヒップフラップの外縁から前記後側域の後端縁を経て他方のヒップフラップの外縁まで延びている、請求項１から３のいずれか１項に記載の吸収性物品。
【請求項５】
前記第１の圧搾部及び前記第２の圧搾部は、点状圧搾部である、請求項１から４のいずれか１項に記載の吸収性物品。
【請求項６】
前記ヒップフラップの外縁は、多数の凸部を有する波形形状に形成されており、
前記複数の第１の圧搾部は、各々の前記凸部の麓部を結んで得られる仮想線よりも内側で、前記仮想線に沿って形成されている、請求項５に記載の吸収性物品。
【請求項７】
前記複数の第１の圧搾部は、各々の前記凸部に応じて設けられている、請求項６に記載の吸収性物品。
【請求項８】
前記仮想線は、前記ヒップフラップの最大幅の位置よりも前側の領域において、前側から後側に向かうにつれて前記幅方向の外側に単調に膨らんでいる、請求項６又は７に記載の吸収性物品。
【請求項９】
前記吸収コアは、前記中央域にも配置されており、
前記中央域に配置される吸収コアと前記後側域に配置される吸収コアとの間に前記吸収性物品の幅方向に沿って延びる幅スリットが設けられており、前記幅スリットは吸収材料が設けられていない領域、又は前記中央域及び前記後側域に配置される吸収コアよりも目付の低い吸収材料が設けられた領域からなる、請求項１から８のいずれか１項に記載の吸収性物品。
【請求項１０】
前記吸収コアは、前記中央域にも配置されており、
前記中央域に配置される吸収コアは、前記吸収コアの外側縁よりも前記幅方向の内側に位置し、前記吸収コアの外側縁の厚みよりも厚い中高部を有する、請求項１から９のいずれか１項に記載の吸収性物品。
【請求項１１】
前記後側域に配置される吸収コアは、前記吸収性物品の幅方向の中心を通る中心線に沿って延びる前後スリットを有し、前記前後スリットは吸収材料が設けられていない領域、又は前記後側域に配置される吸収コアよりも目付の低い吸収材料が設けられた領域からなる、請求項１から１０のいずれか１項に記載の吸収性物品。
【請求項１２】
前記後側域に配置される吸収コアは、前記前後スリットに連なり、かつ前記前後スリットから幅方向の外側に延びる補助スリットをさらに有し、
前記補助スリットの外側縁は前記後側域の前記吸収コアの外側縁よりも幅方向の内側に位置する、請求項１１に記載の吸収性物品。
【発明の詳細な説明】
【技術分野】
【０００１】
本発明は、生理用ナプキン等の吸収性物品に関する。
【背景技術】
【０００２】
生理用ナプキンなどの吸収性物品として、ヒップフラップを有するものが知られている。特許文献１は、ヒップフラップを有するナプキンを開示している。ヒップフラップは、着用者の臀部が当たる部分に形成されている。ヒップフラップは、吸収性物品の幅方向外側に大きく突出している。ヒップフラップの外形線に沿って２箇所〜５箇所程度の凸曲線及び凹曲線が形成されている。また、ヒップフラップの外形線に沿ってエンボスが形成されている。このエンボスは、凹曲線の底部を通る仮想曲線を描いたときに、仮想曲線よりも外側の領域にも配置される。
【先行技術文献】
【特許文献】
【０００３】
【特許文献１】特開２０１４−１４４１４０号公報
【発明の概要】
【発明が解決しようとする課題】
【０００４】
吸収性物品のヒップフラップは、着用者の臀部に当接する部分である。着用者は、ヒップフラップの形状や外観によっては、臀部から体液（例えば経血）が漏れるのではないかという不安感を覚えたり、履き心地が悪いのでないかという不安感を覚えたりすることがある。
【０００５】
本発明は、上述の課題に鑑みてなされたものであり、着用者により安心感を与えることが可能な吸収性物品を提供することを目的とする。
【課題を解決するための手段】
【０００６】
本開示に係る吸収性物品は、互いに直交する前後方向及び幅方向と、着用者の股下に配置される中央域と、前記中央域の後側に位置する後側域と、少なくとも前記後側域に配置される吸収コアと、を有し、前記後側域には、前記幅方向の外側に膨らんだヒップフラップが設けられており、前記後側域の前記吸収コアの外側縁よりも幅方向の外側で、前記ヒップフラップの外縁に沿って離散的に並んだ複数の第１の圧搾部が設けられており、前記後側域の前記吸収コアの外側縁よりも幅方向の外側、かつ前記複数の第１の圧搾部よりも内側に、前記ヒップフラップの外縁に沿って離散的に並んだ複数の第２の圧搾部が設けられており、前記複数の第２の圧搾部のピッチは、前記複数の第１の圧搾部のピッチよりも小さい。
【発明の効果】
【０００７】
本実施形態における吸収性物品によれば、臀部からの体液の漏れが防止されそうであるという安心感や、履き心地が良さそうであるという安心感を、着用者に与えることができる。
【図面の簡単な説明】
【０００８】
【図１】一実施形態における吸収性物品の平面図である。
【図２】図１とは反対側から見た吸収性物品の平面図である。
【図３】図１の３Ａ−３Ａ線に沿った吸収性物品の断面図である。
【図４】ヒップフラップの一部を拡大した平面図である。
【図５】図１の５Ａ−５Ａ線に沿った着用中の吸収性物品の断面図である。
【発明を実施するための形態】
【０００９】
以下、図面を参照して、実施形態に係る吸収性物品ついて説明する。吸収性物品は、パンティーライナー（おりものシート）や生理用ナプキンや失禁パッド等の任意の吸収性物品であってよい。以下の実施形態では、吸収性物品の一例として使い捨ての生理用ナプキンについて説明する。
【００１０】
なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１１】
（１）吸収性物品の全体的構成
図１は、一実施形態における吸収性物品の平面図である。図２は、図１とは反対側から見た吸収性物品の平面図である。図３は、図１の３Ａ−３Ａ線に沿った吸収性物品の断面図である。
【００１２】
吸収性物品１は、着用者の前側（腹側）及び後側（背側）に延びる前後方向Ｌと、前後方向Ｌと直交する幅方向Ｗと、着用者の肌対向面側Ｔ１から非肌対向面側Ｔ２へ延びる厚み方向Ｔと、を有する。肌対向面側Ｔ１は、使用時に、着用者の肌に対向する側に相当する。非肌対向面側Ｔ２は、肌対向面側Ｔ１とは反対側に相当する。
【００１３】
吸収性物品１は、中央域Ｓ１、前側域Ｓ２及び後側域Ｓ３を有する。中央域Ｓ１は、着用者の排泄口（例えば膣口）に当接する領域に位置する。中央域Ｓ１は、吸収性物品が下着に装着された状態で、下着の股下部に位置する領域である。つまり、中央域は、着用者の股下、すなわち着用者の両足の間に配置される領域である。前側域Ｓ２は、中央域Ｓ１よりも前側に位置する。後側域Ｓ３は、中央域Ｓ１よりも後側に位置する。後側域Ｓ３の前後方向Ｌの長さは、中央域Ｓ１の前後方向Ｌの長さよりも長くなっていてよい。
【００１４】
中央域Ｓ１には、後述するウイング３が設けられていてよい。この場合、中央域Ｓ１は、前後方向Ｌにおいてウイング３が設けられている領域とも言える。また、後側域Ｓ３には、幅方向Ｗの外側に膨らんだヒップフラップ４が設けられていてよい。
【００１５】
中央域Ｓ１と後側域Ｓ３の境界に、後述する幅スリット４１が設けられていてよい。この場合、幅スリット４１の前端縁が中央域Ｓ１の後端縁を規定してもよく、幅スリット４１の後端縁が後側域Ｓ３の前端縁を規定してもよい。
【００１６】
後側域Ｓ３の後端縁は吸収性物品１の後端縁を規定する。中央域Ｓ１と前側域Ｓ２の境界はウイング３の前端縁に相当する。ウイング３の前端縁は、ウイング３の付け根であり、ウイング３において最も幅方向Ｗの内側に窪んだ２つの部分のうち、前側に位置する部分である。ウイング３の前側の付け根は、中央域Ｓ１と前側域Ｓ２との境界に位置してもよい。前側域Ｓ２の前端縁は吸収性物品１の前端縁を規定する。
【００１７】
吸収性物品１は、肌面シート１０、非肌面シート２０及び吸収体３０を有する。肌面シート１０は、吸収体３０よりも肌対向面側Ｔ１に設けられる。非肌面シート２０は、吸収体３０よりも非肌対向面側Ｔ２に設けられる。吸収体３０は、肌面シート１０と非肌面シート２０との間に設けられる。
【００１８】
肌面シート１０は、表面シート１１とサイドシート１２を有していてよい。表面シート１１は、体液等の液体を透過する液透過性のシートである。表面シート１１は、吸収体３０の少なくとも幅方向Ｗの中央を覆う。表面シート１１は、前後方向Ｌに前側域Ｓ２から後側域Ｓ３まで延びていてよい。サイドシート１２は、表面シート１１の外側縁（幅方向Ｗの外側端部）を覆い、表面シート１１よりも幅方向Ｗの外側に延びている。なお、本実施形態では、吸収性物品１はサイドシート１２を有しているが、吸収性物品１はサイドシート１２を有していなくてもよい。この場合、表面シート１１は吸収体３０全体を覆っていてよい。
【００１９】
表面シート１１は、不織布、織布、有孔プラスチックシート、メッシュシート等、液体を透過する構造を有する任意のシート状の材料から構成される。織布や不織布の素材としては、天然繊維、化学繊維のいずれも使用できる。
【００２０】
サイドシート１２は、表面シート１１と同様の材料から選ぶことができる。但し、サイドシート１２を乗り越えて吸収性物品１の外方へ体液が流出することを防止するためには、サイドシート１２は、疎水性又は撥水性を有することが好ましい。サイドシート１２は、吸収体３０の外側縁、ウイング３及びヒップフラップ４に配置されている。
【００２１】
非肌面シート２０は、液不透過性のシートである。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００２２】
吸収体３０は、吸収材料が積層された吸収コア３１と、吸収コア３１を覆うコアラップ３２と、を有する。吸収材料は、例えば、親水性繊維、パルプ及びＳＡＰから形成できる。
【００２３】
吸収コア３１は、少なくとも中央域Ｓ１と後側域Ｓ３に配置される。なお、吸収コア３１は、中央域Ｓ１と後側域Ｓ３のそれぞれに別個に配置されていてもよいし、中央域Ｓ１と後側域Ｓ３に跨って一体的に配置されていてもよい。また、吸収コア３１は、中央域Ｓ１から前側域Ｓ２にまで延びていてもよい。
【００２４】
吸収コア３１は、吸収コア３１の外側縁３１Ｅよりも幅方向Ｗの内側に位置する中高部３３を有する。吸収コアの中高部３３の厚みは、中高部３３のまわりの吸収コアの厚みよりも厚い。中高部３３は、中央域Ｓ１に位置していてよい。中高部３３の吸収材料の目付は、中央域Ｓ１における吸収コア３１の外側縁３１Ｅに位置する吸収材料の目付よりも高くてもよい。中高部３３は、中央域Ｓ１内の後側に位置し、幅スリット４１に隣接していてよい。
【００２５】
前述したように、吸収性物品１は、ウイング３及びヒップフラップ４を有する。ウイング３及びヒップフラップ４は、中央域Ｓ１の吸収コア３１の外側縁３１Ｅよりも幅方向Ｗの外側に延出していてよい。
【００２６】
ウイング３は、サイドシート１２と非肌面シート２０を有していてよい。ウイング３の前後方向Ｌの中心は、着用者の排泄口に対向する。ウイング３は、非肌面シート２０側に折り返し可能に構成されている。ウイング３は、使用時に下着のクロッチ部の非肌対向面側に折り返される。
【００２７】
ヒップフラップ４は、ウイング３よりも後側に位置し、後側域Ｓ３に設けられている。ヒップフラップ４は、使用時に折り返されず、下着と着用者の臀部との間に配置される。本実施形態では、ヒップフラップ４には吸収材料が設けられていない。この代わりに、ヒップフラップ４には、吸収材料が設けられていてもよい。
【００２８】
ヒップフラップの外縁４Ｅは、多数の凸部４Ｆを有する波形形状に形成されていてよい（図４も参照）。図４は、図２に示す領域Ｒ４の拡大図であり、ヒップフラップ４の一部を拡大した平面図である。多数の凸部４Ｆは、一方のヒップフラップ４の外縁４Ｅから後側域Ｓ３の後端縁を経て他方のヒップフラップ４の外縁４Ｅまで延びていることが好ましい。この代わりに、多数の凸部４Ｆは、一対のヒップフラップ４の外縁４Ｅのみに形成されていてもよい。各々の凸部４Ｆの幅Ｗ１は、好ましくは２０ｍｍ以下、より好ましくは１０ｍｍ以下である。また、各々の凸部４Ｆの幅Ｗ１は、３ｍｍ以上であることが好ましい。
【００２９】
吸収性物品１の幅方向Ｗにおけるヒップフラップ４の幅は、ヒップフラップ４の最大幅の位置Ｐ１よりも前側の領域において、前側から後側に向かうにつれて実質的に大きくなっていてもよい。具体的には、ヒップフラップの外縁４Ｅの凸部４Ｆの形を考慮せず、ヒップフラップ４の全体的な形状が、ヒップフラップ４の最大幅の位置Ｐ１よりも前側の領域において、前側から後側に向かうにつれて大きくなっていることが好ましい。より具体的には、ヒップフラップ４の外縁４Ｅに形成された各々の凸部４Ｆの麓部を結んで得られる仮想線ＩＬが、ヒップフラップ４の最大幅の位置Ｐ１よりも前側の領域において、前側から後側に向かうにつれて幅方向Ｗの外側に単調に膨らんでいてよい。
【００３０】
また、吸収性物品１の幅方向Ｗにおけるヒップフラップ４の幅は、ヒップフラップ４の最大幅の位置Ｐ１よりも後側の領域において、前側から後側に向かうにつれて実質的に小さくなっていてもよい。この代わりに、吸収性物品１の幅方向Ｗにおけるヒップフラップ４の幅は、後述する粘着領域６４よりも後側の領域において、前側から後側に向かうにつれて実質的に小さくなっていてもよい。具体的には、ヒップフラップの外縁４Ｅの凸部４Ｆの形を考慮せず、ヒップフラップ４の全体的な形状が、粘着領域６４よりも後側の領域において、前側から後側に向かうにつれて単調に狭くなっていてよい。より具体的には、ヒップフラップ４の外縁４Ｅに形成された各々の凸部４Ｆの麓部を結んで得られる仮想線ＩＬが、粘着領域６４よりも後側の領域において、前側から後側に向かうにつれて幅方向Ｗの内側に単調に狭くなっている。なお、ヒップフラップの最大幅の位置Ｐ１は、前後方向Ｌにおける後側域Ｓ３の中央よりも後側に位置している。
【００３１】
ヒップフラップ４は、サイドシート１２と非肌面シート２０を有していてよい。この代わりに、ヒップフラップ４はサイドシート１２を有していなくてもよい。この場合、表面シート１１がヒップフラップ４の領域まで延びていればよい。この場合、多数の凸部４Ｆが形成された領域を、同一の枚数のシートによって構成することができる。
【００３２】
（２）吸収コアのスリット
吸収コア３１は、幅スリット４１、前後スリット４２及び補助スリット４３を有していてよい。幅スリット４１、前後スリット４２及び補助スリット４３は、吸収体３０を厚み方向Ｔに曲げることができるように形成されている。
【００３３】
幅スリット４１、前後スリット４２及び補助スリット４３の吸収材料の目付は、それらのスリット４１，４２，４３のまわりの吸収コア３１の吸収材料の目付よりも低い。なお、幅スリット４１、前後スリット４２及び補助スリット４３は、吸収材料の目付が０の領域、すなわち吸収材料が設けられていない領域であってもよい。
【００３４】
幅スリット４１、前後スリット４２及び補助スリット４３は、吸収性物品１の剛性が変化する境目となる。例えば、幅スリット４１よりも前側の領域の剛性は、幅スリット４１よりも後側の領域の剛性と異なっていてよい。より詳細には、幅スリット４１よりも前側の領域の吸収材料の目付は、幅スリット４１の吸収材料の目付よりも高くてよい。また、幅スリット４１よりも後側の領域の吸収材料の目付は、幅スリット４１の吸収材料の目付よりも高くてよい。
【００３５】
幅スリット４１は、中央域Ｓ１と後側域Ｓ３との間で幅方向Ｗに延びる。幅スリット４１は、少なくとも幅方向Ｗに延びていればよい。幅スリット４１は、幅方向Ｗに平行に直線的に延びていてもよいし、幅方向Ｗに対して傾斜して直線的又は曲線的に延びていてもよい。
【００３６】
本実施形態の幅スリット４１は、幅スリット４１の幅方向Ｗの中央が後方に突出した曲線形状である。より詳細には、幅スリット４１の幅方向Ｗの中心は、幅スリット４１の外側縁よりも後方に位置する。幅スリット４１の前後方向Ｌにおける長さは、一定であってもよいし、変化していてもよい。幅スリット４１の前後方向Ｌの長さは、吸収性物品の幅方向Ｗの中心を通る中心線ＣＬの位置で、好ましくは１０ｍｍ以上かつ５０ｍｍ以下であり、より好ましくは１０ｍｍ以上かつ３０ｍｍ以下である。これにより、吸収体３０が幅スリット４１のところで着用者の肌に沿って曲がり易くなり、吸収体３０を着用者の肌にフィットさせることができる。
【００３７】
幅スリット４１の幅方向の長さは、２５ｍｍ以上であることが好ましい。これにより、吸収性物品１の中央域Ｓ１の動きが、後側域Ｓ３に伝わることを抑制できる。
【００３８】
幅スリット４１は、吸収コア３１の幅方向Ｗの一端から他端まで延びていてもよい。この場合、幅スリット４１の幅方向Ｗの外側縁は、吸収コア３１の外側縁３１Ｅに位置する。これにより、中央域Ｓ１の吸収コア３１は、幅スリット４１によって後側域Ｓ３の吸収コア３１から分断される。この代わりに、幅スリット４１は、中心線ＣＬを跨ぎ、かつ吸収コア３１の幅方向Ｗに部分的に延びていてもよい。
【００３９】
前後スリット４２は、後側域Ｓ３において、吸収性物品の中心線ＣＬに沿って前後方向Ｌに延びる。前後スリット４２は、前後方向Ｌに平行に直線的に延びていてもよいし、前後方向Ｌに対して傾斜して直線的又は曲線的に、中心線ＣＬに沿って延びていてもよい。前後スリット４２は、後側域Ｓ３の吸収コア３１の前後方向Ｌの全域に形成されていてもよい。この代わりに、前後スリット４２は、後側域Ｓ３の吸収コア３１の前後方向の一部の領域に形成されていてもよい。
【００４０】
前後スリット４２の前端縁は、ウイング３の前後方向Ｌの中心から３０ｍｍ以上後方に位置することが好ましい。前後スリット４２の後端縁は、ウイング３の前後方向Ｌの中心から２００ｍｍ以上後方に位置することが好ましい。前後スリット４２の前後方向Ｌの長さは、１５０ｍｍ以上であることが好ましい。着用者の身体の前後方向Ｌに沿った断面において、臀部間の溝（臀裂）は、会陰部よりも後方から尾てい骨に至る領域に存在する。前後スリット４２は、前後スリットを頂点として凸状に吸収体３０を変形させ易くする。すなわち、吸収体３０が臀部間の溝にフィットするように変形し易くなる。
【００４１】
好ましくは、前後スリット４２の幅方向Ｗの長さは、１ｍｍ以上かつ１５ｍｍ以下である。これにより、臀部間の溝にフィットするように吸収体３０を変形させ易くすることができる。
【００４２】
前後スリット４２は、幅スリット４１と繋がっていてもよい。この場合、平面視にて、中央域Ｓ１の吸収コア３１と、後側域Ｓ３の幅方向Ｗの一方側の吸収コア３１と、後側域Ｓ３の幅方向Ｗの他方側の吸収コア３１とは、分断されている。この代わりに、前後スリット４２は、幅スリット４１と離間していてもよい。
【００４３】
補助スリット４３は、前後スリット４２に繋がっており、かつ前後スリット４２から幅方向Ｗの外側に延びる。補助スリット４３は、少なくとも幅方向Ｗに延びていればよい。補助スリット４３は、幅方向Ｗに平行に直線的に形成されていてもよいし、幅方向Ｗに対して傾斜して直線的又は曲線的に形成されていてもよい。補助スリット４３は、幅方向Ｗの内側から外側に向かうにつれて前側に傾斜していることが好ましい。補助スリット４３は、前後スリット４２の幅方向Ｗの両側にそれぞれ延びている。補助スリット４３は、前後方向Ｌに間隔を空けて複数設けられていてよい。
【００４４】
補助スリット４３の幅方向Ｗの外側縁は、後側域Ｓ３の吸収コア３１の外側縁よりも内側に位置する。すなわち、補助スリット４３の幅方向の外側には、吸収材料が設けられている。この代わりに、補助スリット４３は、後側域Ｓ３の吸収コア３１の外側縁まで延びていてもよい。
【００４５】
補助スリット４３は、後側域Ｓ３の吸収体３０が厚み方向Ｔに曲がる変形基点を構成する。すなわち、吸収性物品１は補助スリット４３のところで曲がり易くなっている。これにより、吸収性物品１が着用者に取り付けられたときに、吸収体３０が、着用者の湾曲した臀部によりフィットし易くなる。
【００４６】
（３）圧搾部
吸収性物品１は、少なくとも吸収コア３１が厚み方向Ｔに圧搾されることによって形成された圧搾部を有する。この圧搾部は、前側圧搾部８１と、長手圧搾部８２と、一対の後側圧搾部８４と、を有していてよい。
【００４７】
前側圧搾部８１は、中央域Ｓ１及び前側域Ｓ２に設けられている。前側圧搾部８１は、吸収体３０と表面シート１１とが厚み方向Ｔに圧縮されることによって形成されていてよい。前側圧搾部８１は、中高部３３の幅方向Ｗ両側に設けられた前後方向Ｌに沿った部分を有する。前側圧搾部８１は、中高部３３の幅方向Ｗ両側の側縁を規定していてよい。
【００４８】
前側圧搾部８１は、吸収コア３１の前端縁付近で幅方向に向かって曲がっており、Ｕ字型に連続的に繋がっている。この代わりに、前側圧搾部８１は、中高部３３の幅方向Ｗ両側に、別個に設けられていても良い。すなわち、一対の前側圧搾部８１が、互いに分断された形態で、別個に設けられていても良い。
【００４９】
長手圧搾部８２は、後側域Ｓ３で、中心線ＣＬを挟んで両側に設けられている。長手圧搾部８２は、ヒップフラップ４の最大幅の位置Ｐ１よりも前側に形成されていてよい。長手圧搾部８２は、吸収体３０と表面シート１１とが厚み方向に圧縮されることによって形成されていてよい。長手圧搾部８２は、補助スリット４３よりも幅方向Ｗの両外側において前後方向Ｌに延びる。長手圧搾部８２は、線状又は点線状に、少なくとも前後方向Ｌに延びていればよい。長手圧搾部８２は、前後方向Ｌに平行に直線的に延びていてもよいし、前後方向Ｌに対して傾斜して曲線的に延びていてもよい。
【００５０】
一対の後側圧搾部８４は、後側域Ｓ３で、中心線ＣＬを挟んで両側に設けられている。後側圧搾部８４は、吸収体３０と表面シート１１とが厚み方向に圧縮されることによって形成されていてよい。一対の後側圧搾部８４は、吸収性物品の幅方向Ｗの中心を通る中心線ＣＬを挟んで互いに離間して設けられている。一対の後側圧搾部８４は、幅方向Ｗにおけるヒップフラップ４の最大幅の位置Ｐ１よりも後側に位置する。好ましくは、一対の後側圧搾部８４は、後側域Ｓ３の後側の端部付近に位置する。具体的には、一対の後側圧搾部８４は、着用者の仙骨に対向する領域近傍に位置する。後側圧搾部８４は、前後方向Ｌに沿って線状又は点線状に延びていてよい。なお、前後方向Ｌに対して多少傾斜又は湾曲していても、後側圧搾部８４は、前後方向Ｌに沿って延びていると見なす。具体的には、一対の後側圧搾部８４は、部分的又は全体的に前後方向Ｌに沿って延びていてよい。一対の後側圧搾部８４は、後側に向かうにつれて幅方向Ｗの距離が広がる幅広区間を有する。すなわち、後側圧搾部８４は、後側へ向かうにつれて、幅方向Ｗの外側に傾斜している。
【００５１】
図１に示す実施形態では、一対の長手圧搾部８２は、一対の後側圧搾部８４から離れて配置されている。一対の長手圧搾部８２と一対の後側圧搾部８４との間の距離は、好ましくは少なくとも１ｃｍ、より好ましくは少なくとも３ｃｍである。一対の長手圧搾部８２と一対の後側圧搾部８４との間の、圧搾部が形成されていない区間は、ヒップフラップの最大幅の位置Ｐ１を跨っていてもよい。
【００５２】
後側域Ｓ３に設けられた吸収コア３１の一部は、幅広区間によって挟まれた領域内に配置される。また、前後スリット４２の一部が、幅広区間によって挟まれた領域を延びていることが好ましい。前後スリット４２は、前後方向Ｌに沿ってこの領域を貫いていることがより好ましい。
【００５３】
吸収性物品１は、肌面シート１０及び非肌面シート２０を構成するシートのうちの少なくとも２枚を厚み方向Ｔに圧縮することによって形成された第１の圧搾部８５、第２の圧搾部８７及び第３の圧搾部８６を有する。第１の圧搾部８５、第２の圧搾部８７及び第３の圧搾部８６は、少なくともヒップフラップ４の外縁４Ｅに沿って形成されている。
【００５４】
第１の圧搾部８５は、吸収性物品１の幅方向Ｗにおいて吸収コア３１よりも外側に設けられている。第１の圧搾部８５は、ヒップフラップ４の外縁４Ｅに形成された各々の凸部４Ｆの麓部を結んで得られる仮想線ＩＬよりも内側で、仮想線ＩＬに沿って形成されている（図４参照）。第１の圧搾部８５は、離散的に並んだ複数の圧搾部から構成されていることが好ましい。第１の圧搾部８５は、仮想線ＩＬに沿って並んだ複数の点状圧搾部から構成されることがより好ましい。この複数の点状圧搾部は、各々の凸部４Ｆに応じて設けられていてよい。第１の圧搾部８５と仮想線ＩＬとの距離Ｌ１は、１ｍｍ以上、かつ１０ｍｍ以下であることが好ましい。
【００５５】
仮想線ＩＬよりも外側の領域には圧搾部は形成されていない。さらに、ヒップフラップ４を構成する複数のシート、例えばサイドシート１２及び非肌面シート２０は、仮想線ＩＬよりも外側の領域の少なくとも一部において互いに接合されていないことが好ましい。
【００５６】
第２の圧搾部８７は、吸収性物品１の幅方向Ｗにおいて吸収コア３１よりも外側に設けられている。第２の圧搾部８７は、第１の圧搾部８５よりも内側で、ヒップフラップ４の外縁４Ｅに沿って離散的に並んだ複数の圧搾部から形成されている。第２の圧搾部８７は、複数の点状圧搾部から形成されていることが好ましい。複数の第２の圧搾部８７のピッチは、複数の第１の圧搾部８５のピッチよりも小さい。
【００５７】
第３の圧搾部８６は、吸収性物品１の幅方向Ｗにおいて吸収コア３１よりも外側に設けられている。第３の圧搾部８６は、第１の圧搾部８５と第２の圧搾部８７との間で、離散的に並んだ複数の圧搾部から形成されている。第３の圧搾部８６は、複数の点状圧搾部から形成されていることが好ましい。複数の第３の圧搾部８６のピッチは、複数の第１の圧搾部８５のピッチよりも小さく、複数の第２の圧搾部８７のピッチよりも大きい。
【００５８】
第１の圧搾部８５、第２の圧搾部８７及び第３の圧搾部８６を構成する各々の点状圧搾部は、微少な広がりを有する圧搾部のことを意味する。点状圧搾部の形状は、仮想線ＩＬに沿って長く延びていないことが好ましい。具体的には、各々の点状圧搾部の、仮想線ＩＬに沿った方向における長さは、実質的に仮想線ＩＬに直交する方向の長さと等しいか、又はそれより小さくてよい。例えば、各々の点状圧搾部は円形状又は正方形状であってよい。各々の点状圧搾部の形状が円形である場合、各々の点状圧搾部の直径は、好ましくは０．５〜５．０ｍｍであり、より好ましくは１．０〜３．０ｍｍである。
【００５９】
第１の圧搾部８５、第２の圧搾部８７及び第３の圧搾部８６は、仮想線ＩＬに沿って、一方のヒップフラップ４の外縁４Ｅから後側域Ｓ３の後端縁を経て他方のヒップフラップ４の外縁まで延びていることが好ましい。
【００６０】
吸収性物品１を肌面側から見たときに、吸収体３０が設けられた領域のＬ＊ａ＊ｂ＊表色系におけるＬ＊値と、ヒップフラップ４の、前記圧搾部８５，８６，８７よりも内側の領域のＬ＊ａ＊ｂ＊表色系におけるＬ＊値との差が、１５以下であることが好ましい。また、ヒップフラップ４の、圧搾部８５，８６，８７が形成されていない領域のＬ＊ａ＊ｂ＊表色系におけるＬ＊値と、圧搾部８５，８６，８７のＬ＊ａ＊ｂ＊表色系におけるＬ＊値との差が、５以上かつ２３以下であることが好ましい。
【００６１】
国際照明委員会（Commission Internationale de l’Eclairage）によって規定されているＬ＊ａ＊ｂ＊表色系におけるＬ＊値は、例えば色彩色差計（ＫＯＮＩＣＡ  ＭＩＮＯＬＴＡ社製  ＣＲ−３０００）を用いて以下のように測定することができる。まず、吸収性物品の非肌面シート２０を下にした状態で、黒色シート上に吸収性物品を置く。次に、吸収性物品の肌面シート１０側から、測定対象となる領域のＬ＊値を、色彩色差計で測定する。
【００６２】
（４）粘着領域
図２に示すように、吸収性物品１は、吸収性物品１を下着Ｓに止めるための粘着剤が設けられた第１本体粘着領域６１、第２本体粘着領域６２、ウイング粘着領域６３及びヒップフラップ粘着領域６４を有する。これらの粘着領域６１〜６４は、非肌面シート２０の非肌対向面に設けられている。粘着領域６１〜６４は、使用前の状態において、剥離シートによって覆われていてもよい。剥離シートは、使用前に粘着領域６１〜６４の粘着剤の劣化を防止する。剥離シート６５、使用時に、着用者によって剥離される。
【００６３】
第１本体粘着領域６１は、第２本体粘着領域６２よりも前方に配置されている。第１本体粘着領域６１は、第２本体粘着領域６２から前後方向Ｌに離間して配置されている。第１本体粘着領域６１は、幅スリット４１よりも前側で、中央域Ｓ１と前側域Ｓ２に跨って配置されていてよい。第２本体粘着領域６２は、幅スリット４１よりも後側で、後側域Ｓ３に配置されている。ウイング粘着領域６３はウイング３に設けられている。ヒップフラップ粘着領域６４はヒップフラップ４に設けられている。
【００６４】
幅スリット４１及び前後スリット４２は、厚み方向Ｔにおいて、すべての粘着領域６１〜６４と重なっていない。言い換えると、平面視にて、幅スリット４１及び前後スリット４２が配置された領域には、粘着領域６１〜６４が設けられていない。また、一対の後側圧搾部８４によって挟まれた領域は、粘着領域６１〜６４と重ならない領域に配置されていてよい。
【００６５】
第１の圧搾部８５、第２の圧搾部８７及び第３の圧搾部８６は、ヒップフラップ４の外縁４Ｅとヒップフラップ粘着領域６４との間を通って延びている。ヒップフラップ粘着領域６４よりも幅方向Ｗの外側には、粘着領域が設けられていないことが好ましい。
【００６６】
ヒップフラップ４の凸部４Ｆの麓部を結んで得られる仮想線ＩＬとヒップフラップ粘着領域６４との間の距離は、２０ｍｍ以下であることが好ましい。また、粘着領域６４は、ヒップフラップ４の最大幅の位置Ｐ１に設けられていることが好ましい。
【００６７】
（５）着用中の吸収性物品
生理用ナプキンとしての吸収性物品１を着用する際、吸収性物品１は下着Ｓに固定される。着用された状態の吸収性物品１の中央域Ｓ１は、装着者の両足によって挟まれ、幅方向Ｗの外側から幅方向Ｗの内側に向かう力を受ける。
【００６８】
吸収性物品１の幅方向Ｗに沿った着用者の身体の断面形状は、股下近傍と臀部近傍とで異なる。具体的には、着用者の股下の陰裂(経血が出る膣口あたり)近辺の身体の断面形状は、大陰唇が大陰唇の付け根よりも出っ張っており、吸収性物品１側に突出する凸形状である。この着用者の股下域に、吸収性物品の中央域Ｓ１が対向して配置される。吸収性物品１は、下着Ｓに装着され、かつ着用者に着用された状態で、中央域Ｓ１の吸収コアが大陰唇の出っ張りに押し下げられ、非肌対向面側に隆起するように変形する。着用者の股下においては、中央域Ｓ１の吸収コアが身体に沿って配置され、股下における漏れを抑制できる。
【００６９】
また、着用者の大陰唇より後方に位置する会陰部よりも後方には、肛門や臀裂が位置する。この会陰部よりも後方近辺の幅方向に沿った身体の断面形状は、幅方向の中心が窪んだ形状である。この着用者の臀部に、吸収性物品の後側域Ｓ３が対向して配置される。
【００７０】
図５は着用者に装着された状態の吸収性物品の後側域Ｓ３の断面図である。図５は、図１の５Ａ−５Ａ線に沿った断面に相当する。なお、図５において、着用者の身体を示すラインが二点鎖線で示されている。例えば夜用の生理用ナプキンは、仰向けの寝姿勢で使用されることが多い。体液の漏れの大半は、一回に多量に経血が排出されて、膣口の直下における経血の吸収が間に合わなかった場合や、膣口の直下に位置する吸収体が身体にフィットしていなかった場合に、臀部より窪んだ部分に経血が流れ込み、当該経血が身体を伝って漏れるものである。身体の臀部と吸収性物品の間に隙間が生じていると、経血が身体を伝わって背側後方に伝わり、吸収性物品の後ろから漏れてしまうおそれがある。
【００７１】
本実施の形態の吸収性物品は、後側域Ｓ３において吸収コア３１の側部が左右の臀部によって押し下げされる。よって、後側域の吸収コアの幅方向の側部には、後側域の吸収コア３１の幅方向の中央よりも力がかかる。吸収コアの側部が左右の臀部によって押し下げされると、後側域の吸収体の幅方向の中央は、前後スリット４２を頂点として着用者側に隆起する。特に、後側域Ｓ３の比較的前側の領域は、前後スリット４２を頂点として着用者側に隆起する。よって、後側域Ｓ３の吸収コア３１の幅方向の中央が臀部間の窪みに配置され易く、より着用者の臀部に沿って吸収コア３１をフィットできる。
【００７２】
（６）作用・効果
一実施形態によれば、離散的に並んだ複数の第１及び第２の圧搾部８５，８７が、後側域Ｓ３の吸収コア３１の外側縁３１Ｅよりも幅方向Ｗの外側で、ヒップフラップ４の外縁に沿って設けられている。さらに、複数の第２の圧搾部８７のピッチは複数の第１の圧搾部８５のピッチよりも小さい。ピッチの小さい第２の圧搾部８７が第１の圧搾部８５よりも内側に形成されているため、第２の圧搾部８７よりも内側に大きなヒップフラップ４が存在するような感覚を消費者に与えることができる。ヒップフラップ４は着用者の臀部に当接する部分であるため、着用者に、臀部からの体液の漏れが防止されそうであるという安心感を与えることができる。一方で、消費者は、ピッチの大きい第１の圧搾部８５を、吸収性物品１のフリルとして認識し易い。このようなフリルは、消費者に特に柔らかいものであるというイメージを与えるため、履き心地がよさそうであるという安心感を与えることができる。
【００７３】
一実施形態によれば、複数の第１の圧搾部８５と複数の第２の圧搾部８７との間に、離散的に並んだ複数の第３の圧搾部８６が設けられている。さらに、複数の第３の圧搾部８６のピッチは、複数の第１の圧搾部８５のピッチよりも小さく、複数の第２の圧搾部８７のピッチよりも大きい。
【００７４】
これにより、ヒップフラップ４の外縁部、すなわちフリルの部分がレースのように軽いというイメージを、消費者に与えることができる。これにより、吸収性物品１を綺麗に見せることができ、着用者の購買意欲を向上させることができる。
【００７５】
一実施形態によれば、肌対向面側から見たときに、後側域Ｓ３の吸収コア３１が設けられた領域のＬ＊ａ＊ｂ＊表色系におけるＬ＊値と、ヒップフラップ４の、第２の圧搾部８６よりも内側の領域のＬ＊ａ＊ｂ＊表色系におけるＬ＊値との差が、１５以下である。なお、Ｌ＊値は明度を表している。これにより、消費者は、後側域の吸収コアの領域とヒップフラップの領域を目視で見分け難くなり、後側域の吸収コアの領域とヒップフラップの領域が一体になっているように感じる。その結果、消費者は、吸収性物品が臀部を大きく包み込みそうであるという安心感を覚える。
【００７６】
表１は、上記実施形態の吸収性物品の異なる複数のサンプルについて、Ｌ＊値を測定した結果を示している。Ｌ＊値の測定方法は、上述したとおりである。各サンプルは、上記の実施形態で説明した吸収性物品の構成と同様であるが、ヒップフラップ４の、第２の圧搾部８６よりも内側の領域の明度が互いに異なっている。
【００７７】
【表１】
0006043406.tif 000002
【００７８】
ここで、官能評価１は、吸収コアが設けられた領域が、ヒップフラップ４の第２の圧搾部８６よりも内側の領域と一体感を持っているかどうかという指標となる。官能評価１は、以下のような評価である。
【００７９】
官能評価１について、一体感がない場合、「×」と表記されている。「×」よりも一体感がある場合、「△」と表記されている。「△」よりもさらに一体感がある場合、「○」と表記されている。「○」よりもさらに一体感がある場合、「◎」と表記されている。Ｌ＊値の差は、１５以下であってよいが、表１から１１．８以下であることが好ましいことがわかる。また、Ｌ＊値の差は、より好ましくは６．８９以下であり、さらに好ましくは１．４３以下である。
【００８０】
一実施形態によれば、複数の第１及び第２の圧搾部８５，８７は、一方のヒップフラップ４の外縁４Ｅから後側域Ｓ３の後端縁を経て他方のヒップフラップ４の外縁４Ｅまで延びている。これにより、消費者に、フリルの領域が吸収性物品１の後側域Ｓ３の後端縁にまで及んでいるように見せることができ、履き心地がよさそうであるという安心感を与えることができる。
【００８１】
一実施形態によれば、第１の圧搾部８５及び第２の圧搾部８７は、点状圧搾部である。点状圧搾部が形成された部分は、その周りの領域（圧搾部が形成されていない領域）よりも透明度が高くなる。これにより、ヒップフラップ４の外縁４Ｅに沿って、ヒップフラップ４よりも透明度の高い領域が形成される。消費者は、これにより、ヒップフラップ４の外縁４Ｅに沿ってフリルのような装飾を有すると認識し易い。このように、消費者に対して吸収性物品１を綺麗に見せることができ、消費者の購買意欲を向上させることができる。
【００８２】
一実施形態によれば、ヒップフラップ４の外縁４Ｅは、多数の凸部４Ｆを有する波形形状に形成されており、複数の第１の圧搾部８５は、各々の凸部４Ｆの麓部を結んで得られる仮想線ＩＬよりも内側で、仮想線ＩＬに沿って形成されている。ヒップフラップ４の外縁４Ｅに外側から局所的に力が加えられたとき、力の作用点付近に設けられた少数の凸部４Ｆが折り返される。しかしながら、凸部４Ｆ同士の間に隙間（凹部）が存在するため、ある凸部４Ｆに加えられた力は、隣接する凸部４Ｆに伝わり難くなっている。その結果、局所的に力が加えられた凸部４Ｆを起点にヒップフラップ４が大きくめくれるということが抑制される。
【００８３】
さらに、各々の凸部４Ｆの麓部を結んで得られる仮想線ＩＬよりも内側に設けられた第１の圧搾部８５が形成された領域の剛性は、当該第１の圧搾部８５によって高くなっている。その結果、ヒップフラップ４の凸部４Ｆがめくれたとしても、比較的高い剛性によって、凸部４Ｆが元の状態に戻りやすくなっている。
【００８４】
各々の点状圧搾部の形状が円形である場合、 各々の点状圧搾部の直径は、好ましくは０．５〜５．０ｍｍであり、より好ましくは１．０〜３．０ｍｍである。各々の点状圧搾部の直径を０．５ｍｍ以上にすることで、点状圧搾部のところでヒップフラップの外縁が折れやすくなり、ヒップフラップが全体的に大きく折れ曲がることを抑制できる。また、各々の点状圧搾部の直径を５．０ｍｍ以下にすることで、点状圧搾部が皮膚に触れたときの違和感を低減することができる。
【００８５】
一実施形態によれば、複数の第１の圧搾部８５は各々の凸部４Ｆに応じて設けられている。ヒップフラップ４の凸部４Ｆに対応して第１の圧搾部８５を設けることで、どの凸部４Ｆがめくれたとしても、元の状態に戻り易くすることができる。
【００８６】
一実施形態によれば、吸収性物品１を肌対向面側から見たときに、ヒップフラップ４の、圧搾部が形成されていない領域のＬ＊ａ＊ｂ＊表色系におけるＬ＊値と、少なくとも第１及び第２の圧搾部８５，８７のＬ＊ａ＊ｂ＊表色系におけるＬ＊値との差が、５以上、２３以下である。この場合、第１及び第２の圧搾部８５，８７の領域が、圧搾部が形成されていない領域とは異なる領域であることがクリアに認識される。消費者は、これにより、ヒップフラップ４の外縁４Ｅに沿ってフリルのような装飾を有すると認識し易い。このように、消費者に対して吸収性物品１を綺麗に見せることができ、消費者の購買意欲を向上させることができる。
【００８７】
表２は、上記実施形態の吸収性物品の異なる複数のサンプルについて、Ｌ＊値を測定した結果を示している。Ｌ＊値の測定方法は、上述したとおりである。各サンプルは、上記の実施形態で説明した吸収性物品の構成と同様であるが、圧搾部が形成されていない領域の明度が互いに異なっている。
【００８８】
【表２】
0006043406.tif 000003
【００８９】
ここで、官能評価２は、第１及び第２の圧搾部８５，８７の領域が、圧搾部が形成されていない領域とは異なる領域であるとクリアに認識できるかどうかを表す指標となる。官能評価２は、以下のような評価である。
【００９０】
官能評価２について、フリルのようなデザインをクリアに認識できない場合、「×」と表記されている。「×」よりもクリアに認識できる場合、「○」と表記されている。「○」よりもさらにクリアに認識できる場合、「◎」と表記されている。Ｌ＊値の差は、５以上であってよいが、表１から８．１２以上であることが好ましいことがわかる。また、Ｌ＊値の差は、より好ましくは１２．０８以上であり、さらに好ましくは１９．２４以上である。
【００９１】
一実施形態によれば、仮想線ＩＬは、ヒップフラップ４の最大幅の位置Ｐ１よりも前側の領域において、前側から後側に向かうにつれて幅方向Ｗの外側に単調に膨らんでいる。これにより、ヒップフラップ４の幅は、ヒップフラップ４の最大幅の位置Ｐ１よりも前側の領域において、前側から後側に向かうにつれて実質的に徐々に大きくなる。その結果、ヒップフラップ４に皺が発生することを抑制することができる。仮に、ヒップフラップ４の幅が、ヒップフラップ４の最大幅の位置Ｐ１よりも前側の領域で増加したり減少したりしている場合、ヒップフラップ４の幅が狭い部分は、幅方向Ｗに皺が発生し易くなってしまう。このような皺は、ヒップフラップ４の凸部４Ｆの折れを誘発しやすい。
【００９２】
さらに、ヒップフラップ４の幅がヒップフラップ４の最大幅の位置Ｐ１に達するまで実質的に大きくなることで、着用者に、ヒップフラップの外縁全体がレースのように軽くなびくという印象を与えることができる。このように、消費者に対して吸収性物品１を綺麗に見せることができ、消費者の購買意欲を向上させることができる。
【００９３】
一実施形態によれば、中央域Ｓ１に配置される吸収コアと後側域Ｓ３に配置される吸収コアとの間に、吸収性物品の幅方向Ｗに沿って延びる幅スリット４１が設けられている。幅スリット４１は、吸収材料が設けられていない領域、又は中央域Ｓ１及び後側域Ｓ３に配置される吸収コアよりも目付の低い吸収材料が設けられた領域からなる。幅スリット４１と中央域Ｓ１の吸収コアとの境界は、吸収性物品の変形起点になり得る。同様に、幅スリット４１と後側域Ｓ３の吸収コアとの境界は、吸収性物品の変形起点になり得る。この幅スリット４１により、吸収性物品１は、着用者の臀部の膨らみが押し潰された際に、臀部の変形に沿って柔軟に変形し得る。また、幅スリット４１は吸収材料が設けられていない領域、又は中央域Ｓ１及び後側域Ｓ３に配置される吸収コアよりも目付の低い吸収材料が設けられた領域からなるため、柔軟に変形し易い。着用者の臀部の潰れた部分が股下側に移動した際に、幅スリット４１によって臀部の変形が吸収され、幅スリット４１の前後の領域を着用者に当て続け易くなる。さらに、幅スリット４１によって、中央域Ｓ１の吸収コアにかかった力が、後側域Ｓ３の吸収コアに伝播することを抑制できる。
【００９４】
一実施形態によれば、中央域Ｓ１に配置される吸収コアは、吸収コアの外側縁よりも幅方向の内側に位置し、吸収コアの外側縁の厚みよりも厚い中高部３３を有する。好ましくは、中高部３３は、幅スリット４１に隣接している。これにより、幅スリット４１と中央域Ｓ１の吸収コアとの境界が、より曲がり易くなり、より明確な変形起点が形成される。したがって、吸収性物品１をより着用者の体にフィットさせ易くなる。
【００９５】
一実施形態によれば、後側域Ｓ３に配置される吸収コア３１は、吸収性物品１の幅方向Ｗの中心を通る中心線ＣＬに沿って延びる前後スリット４２を有し、前後スリット４２は吸収材料が設けられていない領域、又は後側域Ｓ３に配置される吸収コア３１よりも目付の低い吸収材料が設けられた領域からなる。後側域Ｓ３において吸収コア３１の側部、すなわち前後スリット４２を挟んで両側の吸収コアは、左右の臀部によって押圧される。これにより吸収コアの側部が左右の臀部によって押し下げされると、後側域Ｓ３の吸収体の幅方向の中央は、前後スリット４２を頂点として着用者側に隆起する。よって、後側域Ｓ３の吸収コア３１の幅方向の中央が臀部間の窪みに配置され易く、より着用者の臀部に沿って吸収コア３１をフィットできる（図５も参照）。その結果、経血等の体液が身体を伝わって背側後方に伝わり流れ、吸収性物品の後ろから漏れることを防止できる。
【００９６】
一実施形態によれば、後側域Ｓ３に配置される吸収コアは、前後スリット４２に連なり、かつ前後スリット４２から幅方向Ｗの外側に延びる補助スリット４３をさらに有し、補助スリット４３の外側縁は後側域Ｓ３の吸収コアの外側縁よりも幅方向Ｗの内側に位置する。補助スリット４３は、幅方向Ｗに沿って延びる変形基点を形成する。後側域Ｓ３の吸収コアは、補助スリット４３を基点に変形でき、身体の前後方向に沿った丸みに沿ってフィットされ易くなる。
【００９７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００９８】
１        ：吸収性物品
４        ：ヒップフラップ
４Ｅ      ：ヒップフラップの外縁
４Ｆ      ：凸部
１０      ：肌面シート
１１      ：表面シート
１２      ：サイドシート
２０      ：非肌面シート
３０      ：吸収体
３１      ：吸収コア
３１Ｅ    ：外側縁
６１      ：第１本体粘着領域
６２      ：第２本体粘着領域
６３      ：ウイング粘着領域
６４      ：ヒップフラップ粘着領域
８５      ：第１の圧搾部
８６      ：第３の圧搾部
８７      ：第２の圧搾部
Ｌ        ：前後方向
Ｔ        ：厚み方向
Ｔ１      ：肌対向面側
Ｔ２      ：非肌対向面側
Ｗ        ：幅方向
Ｓ１      ：中央域
Ｓ２      ：前側域
Ｓ３      ：後側域
ＣＬ      ：中心線
ＩＬ      ：仮想線
【要約】
【課題】臀部からの体液の漏れが防止されそうであり、履き心地が良さそうであるという安心感を着用者に与えることができる吸収性物品を提供する。
【解決手段】吸収性物品１は、互いに直交する前後方向Ｌ及び幅方向Ｗと、着用者の股下に配置される中央域Ｓ１と、中央域Ｓ１の後側に位置する後側域Ｓ３と、少なくとも後側域Ｓ３に配置される吸収コア３１と、を有し、後側域Ｓ３には、幅方向Ｗの外側に膨らんだヒップフラップ４が設けられており、後側域Ｓ３の吸収コア３１の外側縁３１Ｅよりも幅方向Ｗの外側で、ヒップフラップ４の外縁に沿って離散的に並んだ複数の第１及び第２の圧搾部８５，８７が設けられており、第２の圧搾部８７は、複数の第１の圧搾部８５よりも内側に設けられており、複数の第２の圧搾部８７のピッチは複数の第１の圧搾部８５のピッチよりも小さい。
【選択図】図１【図１】
0006043406.tif 000004
【図２】
0006043406.tif 000005
【図３】
0006043406.tif 000006
【図４】
0006043406.tif 000007
【図５】
0006043406.tif 000008